(57)【要約】【課題】コンパクトな装置構成によりスポット光の照射範囲を容易にコントロールすることができる照明装置を提供することを課題とする。【解決手段】実施形態に係るスポットライト１００は、光源１と、光源１から出射される光の光軸Ｏに沿って互いに離間して同軸に配置した２つの結像レンズ４１、４２と、２つの結像レンズ４１、４２を光軸Ｏに沿って互いに離接する方向に移動させるモータ１１０と、を有する。【選択図】      図２
2019061814.tif 000002
【特許請求の範囲】
【請求項１】
光源と；
前記光源から出射される光の光軸に沿って互いに離間して同軸に配置した複数のレンズと；
前記複数のレンズのうち第１および第２レンズを前記光軸に沿って互いに離接する方向に移動させる電動機と；
を有する照明装置。
【請求項２】
前記電動機による動作開始時に、前記第１および第２レンズをそれぞれの可動範囲内の初期位置へ移動してから、前記電動機の動作を制御する制御部をさらに有する、
請求項１の照明装置。
【請求項３】
前記光源から出射されて開口部を通過する光を部分的に遮光する少なくとも１枚の遮光板を前記開口部に対して移動可能に有するカッター機構をさらに有する、
請求項１の照明装置。
【請求項４】
前記カッター機構の操作ハンドルに干渉しない位置で前記電動機を支持する支持部材をさらに有する、
請求項３の照明装置。
【請求項５】
前記電動機は、前記第１レンズを移動させる第１電動機、および前記第２レンズを移動させる前記第１電動機とは別の第２電動機を含む、
請求項１の照明装置。
【発明の詳細な説明】
【技術分野】
【０００１】
本発明の実施形態は、光軸方向にレンズを移動可能な結像光学系を有する照明装置に関する。
【背景技術】
【０００２】
従来、光源からの光を部分的に遮光してスポット光の形を変えることのできるカッター機構を備えたスポットライトが知られている。この種のスポットライトは、一般に、カッターライトと呼ばれ、カッター機構を通過した光を被照射体にフォーカスさせるためのレンズユニットを有する。
【０００３】
レンズユニットは、一般に、光軸に沿って離間して配置された複数のレンズを有する。複数のレンズは、レンズホルダによって保持されている。少なくとも１つのレンズホルダは、レンズ筒内を光軸方向に沿って移動可能に取り付けられる。レンズホルダの移動は、例えば、光軸方向に沿ってレンズ筒に設けたスリットを介してレンズ筒の外側に突出した操作ハンドルを操作することによりなされる。
【先行技術文献】
【特許文献】
【０００４】
【特許文献１】特開２００４−５５２８８号公報
【発明の概要】
【発明が解決しようとする課題】
【０００５】
しかし、上述した従来のスポットライトは、スポット光をフォーカスして被照射体に照射する機能のみを有し、スポット光の照射範囲を変えるズーム機能を持たない。このため、スポット光の照射範囲を大きくするためには、スポットライトを被照射体から遠ざけるか、或いはスポットライトの構成自体を大きくせざるを得ない。仮に、スポットライトを大型化すると、その分、レンズホルダのイナーシャが大きくなり、レンズ筒の外側に突出した操作ハンドルを手動で操作することが難しくなる。
【０００６】
よって、コンパクトな装置構成によりスポット光の照射範囲を容易にコントロールすることができる照明装置の開発が望まれている。
【課題を解決するための手段】
【０００７】
実施形態に係る照明装置は、光源と、光源から出射される光の光軸に沿って互いに離間して同軸に配置した複数のレンズと、複数のレンズのうち第１および第２レンズを光軸に沿って互いに離接する方向に移動させる電動機と、を有する。
【発明の効果】
【０００８】
実施形態に係る照明装置によると、コンパクトな装置構成によりスポット光の照射範囲を容易にコントロールすることができる。
【図面の簡単な説明】
【０００９】
【図１】図１は、第１の実施形態に係るスポットライトを示す外観斜視図である。
【図２】図２は、図１のスポットライトを光軸に沿って切断した断面図である。
【図３】図３は、図１のスポットライトのモータの取付構造を示す分解斜視面である。
【図４】図４は、図１のスポットライトに組み込まれたカッター機構の分解斜視図である。
【図５】図５は、図１のスポットライトの動作を制御する制御系のブロック図である。
【図６】図６は、図１のスポットライトの光学系を示す概略図である。
【図７】図７は、図６の２つの結像レンズの基準位置からの距離と配光角との関係を示すグラフである。
【図８】図８は、第２の実施形態に係るスポットライトの要部を示す概略図である。
【発明を実施するための形態】
【００１０】
以下、図面を参照しながら、実施形態について詳細に説明する。  
実施形態に係るスポットライト１００は、光源１と、光源１から出射される光の光軸Ｏに沿って互いに離間して同軸に配置した複数のレンズ１２、１４、４１、４２と、複数のレンズのうち２枚の結像レンズ４１、４２を光軸Ｏに沿って互いに離接する方向に移動させるモータ１１０（電動機）と、を有する。
【００１１】
（第１の実施形態）
図１は、第１の実施形態に係るスポットライト１００（照明装置）の外観斜視図である。図２は、スポットライト１００を光軸Ｏを含む平面で切断した断面図である。図３は、モータ１１０の取付構造を示す分解斜視図である。図４は、スポットライト１００に組み込まれたカッター機構２０の分解斜視図である。図１および図２に示すように、スポットライト１００は、光源ユニット１０、カッター機構２０、レンズユニット４０、放熱器６０、アーム７０、およびモータ１１０を有する。
【００１２】
スポットライト１００は、アーム７０を介して天井や壁に取り付けられる。或いは、スポットライト１００は、アーム７０に取り付けた図示しないソケットを介して、図示しないライティングレールに対して着脱可能に取り付けられる。アーム７０は、光源ユニット１０の筐体１１に対して回動自在に取り付けられ、スポットライト１００の本体（光源ユニット１０、カッター機構２０、レンズユニット４０、放熱器６０、およびモータ１１０）を上下方向に揺動可能に支持する。
【００１３】
図２に示すように、光源ユニット１０は、光軸Ｏに沿って、光源１、第１集光レンズ１２、および第２集光レンズ１４を有する。第１集光レンズ１２は、レンズホルダ１３を介して光源ユニット１０の筐体１１に固定されている。第２集光レンズ１４は、レンズホルダ１５を介して筐体１１に固定されている。光源１は、基材２を介して放熱器６０の受熱板６２の受熱面６２ａに熱的に接続されている。筐体１１は、略円筒形であり、その一端に放熱器６０が固定されている。
【００１４】
放熱器６０は、光軸Ｏと直交する面と略平行な受熱面６２ａを有する受熱板６２、および複数枚（本実施形態では７枚）の放熱フィン６４を有する。複数枚の放熱フィン６４は、受熱面６２ａに対して略直交する方向に延び、互いに略平行に間隔を空けて設けられている。複数枚の放熱フィン６４は、受熱板６２の受熱面６２ａと反対側に一体に設けられている。アーム７０は、複数枚の放熱フィン６４が上下方向に延びる姿勢でスポットライト１００の本体を回動自在に保持する。放熱器６０は、受熱面６２ａを介して光源１の熱を受け、複数枚の放熱フィン６４を介して外気へ熱を放熱する。
【００１５】
カッター機構２０は、図３および図４に示すように、同じ形状の５枚の略円環状の隙間プレート２１〜２５を有する。５枚の隙間プレート２１〜２５は、同軸且つ互いに隙間を空けて配置され、周方向に等間隔で設けた４本のネジ２６によって連結されている。つまり、各隙間プレート２１〜２５は、４本のネジ２６を挿通する４つのネジ孔を有する。５枚の隙間プレート２１〜２５を同軸に連結すると、５枚の隙間プレート２１〜２５それぞれの中央にある円形の開口部２１ａ〜２５ａが、光軸Ｏ方向に重なって、円形の開口部３０となる。
【００１６】
光源１に最も近い１枚目の隙間プレート２１と２枚目の隙間プレート２２の間には、矩形の切欠き２８ａを有するスペーサプレート２８が配置されている。スペーサプレート２８も隙間プレート２１〜２５と共にネジ２６によって一体に固定されている。スペーサプレート２８は、切欠き２８ａを有する以外、隙間プレート２１〜２５と同じ形状を有する。スペーサプレート２８の切欠き２８ａは、透光性のフィルタ（図示せず）を挿通配置するためのフィルタ収容部として機能する。つまり、切欠き２８ａは、カッター機構２０の外側からフィルタを挿通可能な位置（本実施形態では横）に設けられている。
【００１７】
２枚目の隙間プレート２２と３枚目の隙間プレート２３の間には、左上カッター羽根３１（遮光板）がスライド自在に配置されている。左上カッター羽根３１は、開口部３０の左上を部分的に遮光する。３枚目の隙間プレート２３と４枚目の隙間プレート２４の間には、右上カッター羽根３２（遮光板）および左下カッター羽根３３（遮光板）がそれぞれスライド自在に配置されている。右上カッター羽根３２は、開口部３０の右上を部分的に遮光する。左下カッター羽根３３は、開口部３０の左下を部分的に遮光する。４枚目の隙間プレート２４と５枚目の隙間プレート２５の間には、右下カッター羽根３４（遮光板）がスライド自在に配置されている。右下カッター羽根３４は、開口部３０の右下を部分的に遮光する。なお、ここで言う上下左右は、スポット光の被照射体における照射領域をスポットライト１００側から見た向きを指す。
【００１８】
４枚のカッター羽根３１〜３４は、それぞれ、略Ｔ字状であり４本のネジ２６によって脱落が防止されている。言い換えると、各カッター羽根３１〜３４は、４本のネジ２６により隙間プレート２１〜２５の間に保持される。各カッター羽根３１〜３４の隙間プレート２１〜２５の外側に突出した端部には、操作ハンドル３１ａ〜３４ａがそれぞれ設けられている。４枚のカッター羽根３１〜３４は、５枚の隙間プレート２１〜２５それぞれの円形の開口部２１ａ〜２５ａ、およびスペーサプレート２８の切欠き２８ａが重なった開口部３０に部分的に重なり、操作ハンドル３１ａ〜３４ａを動かすことにより、開口形状を任意の形状に変更することができる。
【００１９】
カッター機構２０は、上述した隙間プレート２１〜２５、スペーサプレート２８、カッター羽根３１〜３４を組み立てた組立体を収容する略円筒形の筐体３６を有する。筐体３６の光軸Ｏ方向の一端は、光源ユニット１０の筐体１１にネジなどにより固定されている。筐体３６の光源ユニット１０から離間した光軸Ｏ方向の他端には、モータ１１０を取り付けるための支持プレート１１２（支持部材）が複数本（本実施形態では８本）のネジ１１１によって締結固定されている。筐体３６の外周壁には、４枚のカッター羽根３１〜３４の操作ハンドル３１ａ〜３４ａを挿通するとともに、４枚のカッター羽根３１〜３４をそれぞれ周方向に移動可能とするための４つのスリット３７が設けられている。
【００２０】
レンズユニット４０は、２枚の結像レンズ４１、４２を光軸Ｏに沿って互いに離間して並べて有する。カッター機構２０に近い第１の結像レンズ４１（第１レンズ）は、略円筒形のレンズホルダ４３によって保持されている。第２の結像レンズ４２（第２レンズ）は、略円筒形のレンズホルダ４４によって保持されている。レンズホルダ４３の外周部には、１２０°間隔で３本のカムピン４５が放射状に取り付けられている。レンズホルダ４４の外周部には、１２０°間隔で３本のカムピン４６が放射状に取り付けられている。
【００２１】
レンズユニット４０は、上述した２つのレンズホルダ４３、４４を光軸Ｏに沿ってスライド自在に収容した略円筒形の内側筒体５１を有する。内側筒体５１の内径は、２つのレンズホルダ４３、４４の外径よりわずかに大きい。内側筒体５１は、カッター機構２０に近いレンズホルダ４３に設けた３本のカムピン４５を、それぞれ光軸Ｏに沿った方向にスライド自在に挿通する３本の真っ直ぐなスライド溝５２を有する。内側筒体５１は、もう一方のレンズホルダ４４に設けた３本のカムピン４６を、それぞれ光軸Ｏに沿った方向にスライド自在に挿通する３本の真っ直ぐなスライド溝５３を有する。
【００２２】
レンズユニット４０は、内側筒体５１の外側に設けた略円筒形の外側筒体５４を有する。外側筒体５４は、内側筒体５１の外径よりわずかに大きい内径を有し、内側筒体５１の外周面に沿って回動可能となっている。外側筒体５４の外径は、光源ユニット１０の筐体１１の外径およびカッター機構２０の筐体３６の外径と略同じ外径に形成されている。
【００２３】
外側筒体５４の光軸Ｏ方向の一端（カッター機構２０側の端部）には、環状の押え部材５５が設けられている。外側筒体５４の光軸Ｏ方向の他端には、環状の押え部材５６が設けられている。これら押え部材５５、５６は、それぞれ外側筒体５４の外周面５４ａに沿って配置され、内側筒体５１の外周面に図示しないネジなどにより固定されている。これら押え部材５５、５６を設けることで、外側筒体５４が内側筒体５１から軸方向に脱落することを防止している。
【００２４】
外側筒体５４は、内側筒体５１の３本のスライド溝５２を通って内側筒体５１の外側に突出したカムピン４５をスライド自在に受け入れる３本のカム溝５７を有する。外側筒体５４は、内側筒体５１の３本のスライド溝５３を通って内側筒体５１の外側に突出したカムピン４６をスライド自在に受け入れる３本のカム溝５８を有する。これら２種類のカム溝５７、５８は、それぞれ、光軸Ｏと平行な方向に対して傾斜（湾曲を含む）している。
【００２５】
カッター機構２０に近い３本のカム溝５７は、光の照射方向の前方からレンズユニット４０を見て反時計回り方向に沿って光の照射方向の前方に向けてわずかに傾斜している。他の３本のカム溝５８は、光の照射方向の前方からレンズユニット４０を見て反時計回り方向に沿って光の照射方向の後方に向けて傾斜している。よって、カム溝５７、５８を有する外側筒体５４を内側筒体５１に対して半時計回り方向に回動させると、２つのレンズホルダ４３、４４（すなわち２つの結像レンズ４１、４２）が互いに近付く方向に移動する。逆に、外側筒体５４を内側筒体５１に対して時計回り方向に回動させると、２つのレンズホルダ４３、４４（すなわち２つの結像レンズ４１、４２）が互いに離間する方向に移動する。
【００２６】
つまり、２つのレンズホルダ４３、４４に固設したカムピン４５、４６、内側筒体５１に設けたスライド溝５２、５３、および外側筒体５４に設けたカム溝５７、５８は、２枚の結像レンズ４１、４２を互いに離接させる方向に移動させるズーム機構として機能する。例えば、光の照射方向の前方から見て反時計回り方向に外側筒体５４を回動させると、２枚の結像レンズ４１、４２が互いに近付く方向に移動して、焦点距離が短くなって、被照射体に形成されるスポット光の面積が大きくなる。一方、光の照射方向の前方から見て時計回り方向に外側筒体５４を回動させると、２枚の結像レンズ４１、４２が互いに離間する方向に移動して、焦点距離が長くなって、被照射体に形成されるスポット光の面積が小さくなる。
【００２７】
モータ１１０は、上述した支持プレート１１２を介してカッター機構２０の筐体３６に固設されている。モータ１１０は、いわゆるギアードモータであり、出力軸に複数のギアを備えた構造を有し、比較的大きな慣性質量の物体を高いトルクで精密に回動させることができるモータである。モータ１１０は、支持プレート１１２から離間した端部に配線のためのコネクタ１１０ａを備えている。
【００２８】
支持プレート１１２は、図３に示すように、上述したカッター機構２０の開口部３０に重なる円形の開口１１２ａを有するいわゆるティアドロップ形状の金属板により形成されている。よって、開口１１２ａをカッター機構２０の開口部３０に重ねて支持プレート１１２をネジ１１１により筐体３６に固定すると、支持プレート１１２の一部がカッター機構２０の外周部より径方向の外側（図示上方）に突出する。
【００２９】
モータ１１０と支持プレート１１２の間には、モータ１１０を支持プレート１１２に固定するための略円筒形の固定筐体１１４が介在されている。固定筐体１１４は、モータ１１０の回転軸（図示せず）が突出したギアボックス側の端部にネジなどにより固定されている。モータ１１０の回転軸は、固定筐体１１４の内部空間に突出している。そして、固定筐体１１４のモータ１１０から離間した他端が支持プレート１１２の突出部１１２ｂにネジなどにより固定されている。
【００３０】
固定筐体１１４およびモータ１１０は、支持プレート１１２のカッター機構２０と反対側の面に片持ち梁状態で固定されている。つまり、モータ１１０は、図１および図２に示すように、光軸Ｏと平行に延設され、カッター機構２０より光の出射方向の前方に設けられている。なお、モータ１１０は、レンズユニット４０の外側筒体５４の外周面５４ａから離間した位置で光軸Ｏ方向に延設され、外側筒体５４と非接触状態に設けられている。
【００３１】
このように、モータ１１０をカッター機構２０より前方に配置することで、カッター機構２０の各カッター羽根３１〜３４の操作ハンドル３１ａ〜３４ａにモータ１１０（固定筐体１１４）が干渉することがなく、カッター機構２０の操作を妨げる心配がない。また、本実施形態では、モータ１１０を外側筒体５４に対して非接触状態で取り付けたため、外側筒体５４の回動動作を妨げる心配もない。
【００３２】
モータ１１０の回転軸には、歯付プーリ１１５が固設されており、この歯付プーリ１１５に無端状の歯付ベルト１１６が巻回されて歯合されている。歯付プーリ１１５は、固定筐体１１４の内部に非接触状態で回転可能に収容配置されている。歯付ベルト１１６は、固定筐体１１４の側壁に設けた窓部１１４ａを介して延出される。歯付ベルト１１６は、図１に示すように、レンズユニット４０の外側筒体５４の外周面５４ａに巻き回されて張設されており、その途中で、歯付ベルト１１６が外側筒体５４に固定されている。歯付ベルト１１６は、例えば、外側筒体５４の外周面５４ａと押えブロック１１７の間に歯付ベルト１１６を挟んだ状態で、押えブロック１１７をネジ１１８により外側筒体５４に締結固定することで、外側筒体５４と一体に固定される。
【００３３】
よって、モータ１１０を回転させると、歯付プーリ１１５および歯付ベルト１１６を介して外側筒体５４の外周面５４ａに駆動力が伝達され、外側筒体５４が回動される。そして、モータ１１０を正転或いは逆転させることで、２枚の結像レンズ４１、４２を互いに離接する方向に移動させることができ、スポットライト１００から出射される光のスポットを拡大或いは縮小させることができる。
【００３４】
図５は、上述したスポットライト１００の動作を制御する制御系のブロック図である。
スポットライト１００の制御部１２０には、光源１を所望する状態で点灯させる点灯回路１２１、およびモータ１１０を駆動させるモータ駆動回路１２２が接続されている。また、制御部１２０には、オペレータによる各種入力操作を受け付ける操作・入力部１２３が接続されている。
【００３５】
点灯回路１２１は、制御部１２０からのコマンドに基づいて、商用電源１３０から給電を受けて光源１を点灯させる。このとき、例えば、光源１が複数色のＬＥＤを含む場合、点灯回路１２１は、各ＬＥＤを点灯させる電圧を生成する。
【００３６】
また、モータ駆動回路１２２は、制御部１２０からのコマンドに基づいて、商用電源１３０から給電を受けてモータ１１０を回転させる。このとき、モータ駆動回路１２２は、制御部１２０からのコマンドに基づく方向にモータ１１０を回転させるための電圧を生成する。
【００３７】
なお、制御部１２０は、操作・入力部１２３を介してスポットライト１００を点灯させるコマンドが入力されたとき、モータ１１０のエンコーダなどのホームセンサ１２４の出力を参照して、レンズユニット４０の２つの結像レンズ４１、４２をホーム位置（初期位置）へ移動させる。このとき、制御部１２０は、モータ駆動回路１２２を制御して、２つの結像レンズ４１、４２が互いに最も近接するホーム位置に移動する方向にモータ１１０を回転させる。この状態から、制御部１２０は、モータ１１０を逆方向に回転させてモータ１１０の駆動制御を開始する。
【００３８】
以下、図６および図７を参照して、２つの結像レンズ４１、４２の相対位置とスポットライト１００の配光角との関係について説明する。図６は、スポットライト１００の光学系の各光学素子の光軸Ｏ方向に沿った位置関係を示す概略図である。図７は、図６の光学系のうち２つの結像レンズ４１、４２を光軸Ｏに沿って移動させたときの、基準位置（光源ユニット１０の筐体１１のカッター機構２０側の表面１１ａ）から各結像レンズ４１、４２の光源１側の端部までの距離（Ａ、Ｂ）と配光角との関係を示すグラフである。
【００３９】
これによると、スポットライト１００の配光角が広がるにつれて、光源１に近い結像レンズ４１が光源１から遠ざかり、もう一方の結像レンズ４２が光源１に近付くことがわかる。言い換えると、２つの結像レンズ４１、４２を近付けると、スポットライト１００の配光角が広がる。逆に、２つの結像レンズ４１、４２を遠ざけると、スポットライト１００の配光角が狭められる。
【００４０】
つまり、レンズユニット４０の外側筒体５４を回動させた際に、２つの結像レンズ４１、４２が移動する方向が逆であり、各結像レンズ４１、４２の移動距離も異なる。言い換えると、本実施形態のスポットライト１００は、図７のグラフに示す位置関係を維持して２つの結像レンズ４１、４２が光軸方向に移動するように、外側筒体５４のカム溝５７、５８の形状を決定している。
【００４１】
以上のように、本実施形態によると、レンズユニット４０は、内側筒体５１のスライド溝５２、５３、および外側筒体５４のカム溝５７、５８に、レンズホルダ４３、４４のカムピン４５、４６を挿通したズーム機構を有する。このため、本実施形態によると、スポットライト１００のサイズを小さくすることができ、被照射体におけるスポット形状、すなわちスポット光の被照射体における照射範囲を所望する大きさおよび所望する形状に容易にコントロールすることができる。
【００４２】
また、本実施形態によると、ズーム機構の外側筒体５４を回動させるモータ１１０を有するため、ズーム機構を電動により動作させることができ、比較的イナーシャの大きいレンズホルダであっても容易に移動させることができる。また、本実施形態によると、ズーム機構を電動により動作させることができるため、被照射体におけるスポット形状を所望する形状に合わせるまでに要する作業時間を短縮することができ、スポット形状設定作業の省力化を図ることができる。
【００４３】
また、本実施形態では、モータ１１０をカッター機構２０の操作ハンドル３１ａ〜３４ａに干渉しない位置で、且つレンズユニット４０の外側筒体５４に干渉しない位置に配置したため、操作ハンドル３１ａ〜３４ａの操作を妨げることがなく、外側筒体５４の回動操作を妨げることもない。
【００４４】
なお、上述した第１の実施形態では、モータ１１０を外側筒体５４の外周面５４ａから離間させて非接触状態に配置した場合について説明したが、これに限らず、モータ１１０を外側筒体５４の外周面５４ａに固定して取り付け、外側筒体５４に対して内側筒体５１を回動させるようにしてもよい。この場合、歯付ベルト１１６を内側筒体５１に固定する必要があり、外側筒体５４に歯付ベルト１１６を挿通可能な窓部を設ける必要がある。
【００４５】
（第２の実施形態）
図８は、第２の実施形態に係るスポットライトの要部を示す概略図である。第２の実施形態のスポットライトは、２つの結像レンズ４１、４２をそれぞれ光軸Ｏに沿って個別に移動させるための２つのモータ１１０Ａ、１１０Ｂを有する。また、第２の実施形態のスポットライトは、上述したスライド溝５２、５３、およびカム溝５７、５８の代りに、２つの結像レンズ４１、４２をそれぞれ保持したレンズホルダ４３、４４を光軸Ｏ方向にスライド自在に支持した支持機構２００を有する。これ以外の構成は上述した第１の実施形態と同様であるため、ここでは、第１の実施形態と同様に機能する構成要素には同一符号を付してその詳細な説明を省略する。
【００４６】
結像レンズ４１、４２をそれぞれ保持した２つのレンズホルダ４３、４４は、光軸Ｏと平行に配設された２本のガイドシャフト２０１、２０１に沿ってそれぞれ光軸Ｏ方向に移動可能に支持されている。ガイドシャフト２０１、２０１は、レンズユニット４０の径方向に互いに離間した位置に延設され、その両端がレンズユニット４０の内側筒体５１に固定されている。レンズホルダ４３、４４は、ガイドシャフト２０１をスライド自在に挿通する２つのスライド孔４３ａ、４４ａをそれぞれ有する。各スライド孔４３ａ、４４ａの内径は、ガイドシャフト２０１の外径よりわずかに大きい。
【００４７】
光源１に近い一方のレンズホルダ４３は、ガイドシャフト２０１と平行に配設したボールねじのネジ軸２０３に螺合するボールねじのネジ孔４３ｂを有する。ネジ軸２０３の外周上には、ネジ孔４３ｂに螺合するネジが切られており、光源１から離間した端部が内側筒体５１によって回転可能に支持されている。また、レンズホルダ４３は、もう一方のレンズホルダ４４を移動させるためのネジ軸２０４を非接触状態で挿通する挿通孔４３ｃを有する。
【００４８】
光源１から離間した他方のレンズホルダ４３は、ガイドシャフト２０１と平行に配設したボールねじのネジ軸２０４に螺合するボールねじのネジ孔４４ｂを有する。ネジ軸２０４は、上述したネジ軸２０３と径方向に離間した位置に配置されている。ネジ軸２０４の外周上には、ネジ孔４４ｂに螺合するネジが切られており、光源１から離間した端部が内側筒体５１によって回転可能に支持されている。また、レンズホルダ４４は、上述した一方のレンズホルダ４３を移動させるためのネジ軸２０３を非接触状態で挿通する挿通孔４４ｃを有する。
【００４９】
一方のネジ軸２０３の光源１に近い端部には、２つのギア２０５、２０６を介してモータ１１０Ａ（第１電動機）の回転軸が接続されている。また、他方のネジ軸２０４の光源１に近い端部には、２つのギア２０７、２０８を介してモータ１１０Ｂ（第２電動機）の回転軸が接続されている。モータ１１０Ａ、１１０Ｂは、いわゆるギアードモータであり、第１の実施形態の支持プレート１１２と同様な支持プレート（ここでは図示せず）の突出部に第１の実施形態と同様な姿勢で固定されている。つまり、モータ１１０Ａ、１１０Ｂは、カッター機構２０の操作ハンドル３１ａ〜３４ａに干渉しない向きで支持プレートに固設されている。モータ１１０Ａ、１１０Ｂは、上述した第１の実施形態と同様に、制御部１２０によって制御されるモータ駆動回路１２２からの給電を受けてそれぞれ独立して回転する。
【００５０】
以上のように、本実施形態によると、２つの結像レンズ４１、４２をそれぞれ保持したレンズホルダ４３、４４を２つのモータ１１０Ａ、１１０Ｂによって個別に駆動することができる。このため、本実施形態によると、２つのモータ１１０Ａ、１１０Ｂの回転速度を制御することにより、２つの結像レンズ４１、４２の光軸Ｏ方向に沿った位置を任意に変更することができる。これにより、スポットライト１００の配光角を任意に調整できるとともに、被照射体におけるスポット光の焦点を合わせることができる。言い換えると、本実施形態によると、スポット光の被照射体における焦点を合わせた状態でスポット光の照射範囲を拡大および縮小させることができる。
【００５１】
なお、モータ１１０Ａ、１１０Ｂの支持構造は、必ずしも支持プレートを用いた上記の構造にする必要はない。第２の実施形態のスポットライトは、内側筒体５１に対して外側筒体５４を回動可能としたズーム機構を有していないため、カッター機構２０に干渉しない位置で、レンズ筒（図示せず）の外面に対してモータ１１０Ａ、１１０Ｂを直接固定してもよい。
【００５２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５３】
本実施形態では、２枚の結像レンズ４１、４２を互いに離接する方向に移動可能に有したレンズユニット４０について説明したが、レンズユニット４０は、３枚以上のレンズを有してもよい。３枚以上のレンズを有する場合、そのうち２枚のレンズが上述した結像レンズ４１、４２として機能する。つまり、結像レンズ４１、４２以外のレンズは、光軸Ｏに沿って移動可能としてもよく、光軸Ｏ方向に移動不能としてもよい。
【符号の説明】
【００５４】
１…光源、１０…光源ユニット、１１…筐体、２０…カッター機構、３０…開口部、３６…筐体、４０…レンズユニット、４１、４２…結像レンズ、４３、４４…レンズホルダ、５１…内側筒体、５４…外側筒体、６０…放熱器、６４…放熱フィン、７０…アーム、１００…スポットライト、１１０、１１０Ａ、１１０Ｂ…モータ、１１２…支持プレート、１２０…制御部、Ｏ…光軸。
【図１】
2019061814.tif 000003
【図２】
2019061814.tif 000004
【図３】
2019061814.tif 000005
【図４】
2019061814.tif 000006
【図５】
2019061814.tif 000007
【図６】
2019061814.tif 000008
【図７】
2019061814.tif 000009
【図８】
2019061814.tif 000010